(57)【要約】      （修正有）【課題】かごに吊りシーブ、カウンターウェイトに吊りシーブを備えた２：１ローピングエレベータにおいて、主ロープの端部を取り付けるための支持梁を省略する。【解決手段】昇降路の平断面図上で、かご３の吊りシーブ５，駆動シーブ１５，そらせシーブ１６及びカウンターウェイト６の吊りシーブ８を昇降路の上方に設置された機械室に設けられた支持梁１１，１２間で一直線になるように配置し、主ロープ１７の端部１８，１９が支持梁１１，１２の間にくるようにした。【選択図】図１
2008044744.tif 000002
【特許請求の範囲】
【請求項１】
昇降路の上方に設置された機械室又は昇降路の上方に昇降路と連続して配置された機械室空間に設けられた支持梁によって支持された駆動装置，駆動シーブ及びそらせシーブと、前記駆動シーブ及びそらせシーブに巻き掛けられた主ロープと、吊りシーブを有し前記主ロープにより吊り下げられて昇降路内を昇降するかご及びカウンターウェイトとを備えたエレベータ装置において、
前記支持梁は一対あり、昇降路平断面上で、前記駆動シーブ，そらせシーブ、かごの吊りシーブ及びカウンターウェイトの吊りシーブが前記一対の支持梁間で一直線に配置されたことを特徴とするエレベータ装置。
【請求項２】
昇降路の上方に設置された機械室又は昇降路の上方に昇降路と連続して配置された機械室空間に設けられた支持梁によって支持された駆動装置，駆動シーブ及びそらせシーブと、前記駆動シーブ及びそらせシーブに巻き掛けられた主ロープと、吊りシーブを有し前記主ロープにより吊り下げられて昇降路内を昇降するかご及びカウンターウェイトとを備えたエレベータ装置において、
前記支持梁は一対あり、前記かごの吊りシーブに巻き掛けられた主ロープの反駆動装置側端部及び前記カウンターウェイトの吊りシーブに巻き掛けられた主ロープの反駆動装置側端部は、昇降路平断面上で、前記一対の支持梁上又は前記一対の支持梁間に位置していることを特徴とするエレベータ装置。
【発明の詳細な説明】
【技術分野】
【０００１】
本発明は、２：１ローピングエレベータにおいて、昇降路の上方に設置された機械室又は昇降路の上方に昇降路と連続して配置された機械室空間に設けられた支持梁と、主ロープが巻き掛けられるシーブの配置に関するものである。
【背景技術】
【０００２】
図４は従来の２：１ローピングエレベータの昇降路平断面図を示すものである。図において、１は昇降路２の壁、３はガイドレール４に沿って昇降路２内を昇降するかご、３ａはかご３の出入口、５はかご３の吊りシーブである。６はガイドレール７に沿って昇降路２内を昇降するカウンターウェイト、８はカウンターウェイト６の吊りシーブである。
１１，１２，１３は昇降路２の上方に設置された機械室又は昇降路２の上方に昇降路２と連続して配置された機械室空間に設けられた第１，第２、第３の支持梁、１４は第１，第２支持梁１１，１２に支持された駆動装置、１５は同じく駆動シーブ、１６はそらせシーブである。１７は主ロープで、一端部１８は第２，第３支持梁１２，１３の間に取り付けられ、吊りシーブ８、そらせシーブ１６、駆動シーブ１５、吊りシーブ５を介して、他端部１９は、第２，第３支持梁１２，１３の間に取り付けられている。
【０００３】
図４はカウンターウェイト６がかご３の出入り口３ａの背面側にくるレイアウトであったが、カウンターウェイト６がかご３の側面側にくる場合は、図５のようになる。この場合、主ロープ１７のカウンターウエイト６側端部１８は図４の例と同じく第２，第３支持梁１２，１３の間に、そしてかご３側端部１９は第１，第２支持梁１１，１２の間にくる。
【０００４】
【特許文献１】国際公開第ＷＯ０４／０４１７０３号パンフレット
【発明の開示】
【発明が解決しようとする課題】
【０００５】
前記の構成では、主ロープ１７の端部１８，１９を取り付けるための第３の支持梁１３が必要なため、コストアップの要因になっていた。また第３の支持梁１３を省略すると、主ロープ１７の端部１８，１９を第２の支持梁１２で片持ち支持しなければらならないので、支持梁１２などの強度アップが必要になる。
本発明はこの問題を解決することを目的としたものである。
【課題を解決するための手段】
【０００６】
本発明は、昇降路の上方に設置された機械室又は昇降路の上方に昇降路と連続して配置された機械室空間に設けられた支持梁によって支持された駆動装置，駆動シーブ及びそらせシーブと、前記駆動シーブ及びそらせシーブに巻き掛けられた主ロープと、吊りシーブを有し前記主ロープにより吊り下げられて昇降路内を昇降するかご及びカウンターウェイトとを備えたエレベータ装置において、前記支持梁は一対あり、昇降路平断面上で、前記駆動シーブ，そらせシーブ、かごの吊りシーブ及びカウンターウェイトの吊りシーブが前記一対の支持梁間で一直線上に配置されたものである。
更に本発明は、前記かごの吊りシーブに巻き掛けられた主ロープの反駆動装置側端部及び前記カウンターウェイトの吊りシーブに巻き掛けられた主ロープの反駆動装置側端部を、昇降路平断面上で、前記一対の支持梁上又は前記一対の支持梁間に配置したものである。
【発明の効果】
【０００７】
本発明によれば、主ロープの端部を片持ちにすることなく、第３の支持梁を省略することができる。
【発明を実施するための最良の形態】
【０００８】
本発明の実施の形態を図１により説明する。図に示すようにかご３の吊りシーブ５，駆動シーブ１５，そらせシーブ１６，カウンターウェイト６の吊りシーブ８が、平断面上で一直線に配置してある。これにより、主ロープ１７の端部１８，１９は共に第１，第２支持梁１１，１２の間にくる。そのため、第１，第２支持梁間に端部１８，１９用のブラケットなどを設置すればよい。
このように本実施の形態によれば、主ロープ１７の端部１８，１９を片持ちにすることなく、第３の支持梁１３を省略することができる。
【０００９】
図２はカウンターウェイト６がかご３の出入口３ａの側面側にくるレイアウトであるが、図１の場合と同様に、かご３の吊りシーブ５，駆動シーブ１５，そらせシーブ１６，カウンターウェイト６の吊りシーブ８を、平断面上で一直線に配置することにより、図１の場合と同じ効果を得ることができる。
【００１０】
前記の各実施の形態においては、かご３の吊りシーブ５，駆動シーブ１５，そらせシーブ１６，カウンターウェイト６の吊りシーブ８を、平断面上で一直線に配置している。このように配置すれば、主ロープ１７にロープドローが発生しない、即ち主ロープ１７に捻れが発生しないため、主ロープ１７のダメージが小さくて済むという効果がある。
【００１１】
しかし実際には、主ロープ１７の多少の捩れは許容できる場合が多い。このような場合には、主ロープ１７は一直線上にならなくても、その端部１８，１９が、昇降路平断面上で支持梁１１，１２上又は支持梁１１，１２の間に位置していれば、端部１８，１９を片持ちにすることなく第３の支持梁１３を省略することができる。
この場合、端部１８，１９の設置位置の自由度が高くなるため、かご３に対する吊りシーブ５、カウンターウェイト６に対する吊りシーブ８の取り付け角度の自由度が高くなるという効果がある。
【００１２】
例えば図１において、吊りシーブ８はカウンターウェイト６の重心を吊っているが、端部１８が第１，第２支持梁１１，１２の範囲内にある限り、吊りシーブ８がカウンターウェイト６の重心を吊った状態を保ちながら、カウンターウェイト６を図１上でもう少し上又は下に移動させることもできる。
これを図で説明すると、図３に示すように、吊りシーブを図１の８から図３の８ａに傾斜させることによって、カウンターウェイトを図１の６から図３の６ａにずらしたレイアウトに変更することができる。同様にカウンターウェイトを図の上方にずらすことや、かご３の吊りシーブ５を傾斜させることもできる。また図２の場合も同じである。更に第１，第２支持梁１１，１２の間隔も現場に応じて変更することができる。
【００１３】
前記の各実施の形態においては、支持梁１１，１２は昇降路の上方に設置された機械室又は昇降路の上方に昇降路と連続して配置された機械室空間に設けているが、明確な機械室又は機械室相当空間がなくても、単に昇降路の上方部に支持梁を設置するものであれば、本発明を適用できる。
【図面の簡単な説明】
【００１４】
【図１】本発明の実施の形態を示す図である。
【図２】本発明の他の実施の形態を示す図である。
【図３】本発明の他の実施の形態を示す図である。
【図４】従来のエレベータ装置を示す昇降路平断面図である。
【図５】従来の他のエレベータ装置を示す昇降路平断面図である。
【符号の説明】
【００１５】
２  昇降路
３  かご
５  かごの吊りシーブ
６，６ａ  カウンターウェイト  
８，８ｓ  カウンターウェイトの吊りシーブ
１１  第１の支持梁
１２  第２の支持梁
１３  第３の支持梁
１４  駆動装置
１５  駆動シーブ
１６  そらせシーブ
１７  主ロープ
１８，１９  主ロープの端部
【図１】
2008044744.tif 000003
【図２】
2008044744.tif 000004
【図３】
2008044744.tif 000005
【図４】
2008044744.tif 000006
【図５】
2008044744.tif 000007